(57)【要約】【課題】ファンモータの設定した回転数と実際の回転数が違う場合など断線あるいはロック等に至るまでのファンモータの異常を検知することを目的とする。【解決手段】庫内ファンモータ１と機械室ファンモータ２を備え、このファンモータに印加する電圧を調節して回転数制御を実行する制御装置を備えた冷蔵庫において、制御装置は庫内ファンモータ１の回転数を検出する庫内ファンモータ回転数検出手段５と、機械室ファンモータ２の回転数を検出する機械室ファンモータ回転数検出手段６と、前記ファンモータを制御するファンモータ制御手段７とを備え、検出されたファンモータ回転数と設定回転数との差によりファンモータの異常判断を行うことができる。【選択図】図１
2005090912.tif 000002
【特許請求の範囲】
【請求項１】
ファンモータを備え、前記ファンモータに印加する電圧を調節して回転数制御を実行する制御装置を備えた冷蔵庫において、前記制御装置は前記ファンモータの回転数を検出する回転数検出手段と、前記ファンモータを制御するファンモータ制御手段とを備え、検出されたファンモータ回転数と設定回転数との差によりファンモータの異常判断を行う冷蔵庫の制御装置。
【請求項２】
報知手段を備え、ファンモータ異常検知時前記報知手段を動作させ異常を知らせる請求項１に記載の冷蔵庫の制御装置。
【請求項３】
前記回転数検出手段により検出した回転数の一定周期の平均値によりファンモータの回転数を検出する請求項１または２に記載の冷蔵庫の制御装置。
【請求項４】
前記回転数検出手段により検出した回転数の上限値、下限値を設けて、上限値以上または、下限値以下以外の回転数検出値により一定周期の平均値を求めファンモータの回転数を検出する請求項１から請求項３のいずれか一項に記載の冷蔵庫の制御装置。
【請求項５】
ファンモータを一定時間強制的に指令回転数一定で運転させ、ファンモータの回転数を安定させてから、前記回転数検出手段によりファンモータの回転数を検出する請求項１から請求項４のいずれか一項に記載の冷蔵庫の制御装置。
【発明の詳細な説明】
【技術分野】
【０００１】
本発明は、ファンモータを備え、このファンモータに印可する電圧を調節して回転数制御を行う制御装置を備えた冷蔵庫に関するものである。
【背景技術】
【０００２】
従来、この種の冷蔵庫の制御装置としては、電流検知によりファンモータの異常を検出して警報を発するもの（例えば、特許文献１参照）がある。
【０００３】
以下、図面を参照しながら上記従来の冷蔵庫の制御装置を説明する。
【０００４】
図３は、従来の冷蔵庫の異常検出装置の電気回路図である。図３に示すように従来の冷蔵庫の異常検出装置では、庫内ファンモータ１０１に与える電圧を可変する庫内ファンモータ駆動回路１０２と、コンデンシングファンモータ１０３に与える電圧を可変するコンデンシングファンモータ駆動回路１０４と、前記２つのファンモータの電流を検出する電流検知回路１０５を有し、検出した電流の値を、予め設定されてある電流値と比較することで、ファンモータが断線あるいはモータロック等の異常を検出すると共に、該当のファンを特定し、報知手段により異常を知らせるというものであった。
【特許文献１】特開平１０−２５９９８１号公報
【発明の開示】
【発明が解決しようとする課題】
【０００５】
しかしながら、上記従来の構成では、ファンモータが断線あるいはモータロック等の異常は検出できるが、設定した回転数と実際の回転数が違う場合など断線あるいはロック等に至るまでの異常は検出できないという課題を有していた。
【０００６】
本発明は従来の課題を解決するもので、ファンモータの回転状態の異常を検知できる冷蔵庫の制御装置を提供することを目的とする。
【課題を解決するための手段】
【０００７】
上記従来の課題を解決するために、本発明の冷蔵庫の制御装置は、ファンモータを備え、前記ファンモータに印加する電圧を調節して回転数制御を実行する制御装置を備えた冷蔵庫において、前記制御装置は前記ファンモータの回転数を検出する回転数検出手段と、前記ファンモータを制御するファンモータ制御手段とを備え、検出されたファンモータ回転数と設定回転数との差によりファンモータの異常判断を行うように構成したものである。
【０００８】
これによって、ファンモータの異常を確実に検知することができる。
【発明の効果】
【０００９】
本発明の冷蔵庫の制御装置は、ファンモータ回転数と設定回転数との差を検知することによりファンモータの回転状態を含めた異常を確実に検知、報知することができる。
【発明を実施するための最良の形態】
【００１０】
請求項１に記載の発明は、ファンモータを備え、前記ファンモータに印加する電圧を調節して回転数制御を実行する制御装置を備えた冷蔵庫において、前記制御装置は前記ファンモータの回転数を検出する回転数検出手段と、前記ファンモータを制御するファンモータ制御手段とを備え、検出されたファンモータ回転数と設定回転数との差によりファンモータの異常判断を行うものであり、ファンモータの回転状態を含めた異常を確実に検知することができる。
【００１１】
請求項２に記載の発明は、請求項１に記載の発明において、報知手段を備え、ファンモータ異常検知時前記報知手段を動作させ異常を知らせるものであり、使用者にすばやく異常を知らせることができる。
【００１２】
請求項３に記載の発明は、請求項１または２に記載の発明において、前記回転数検出手段により検出した回転数の一定周期の平均値によりファンモータの回転数を検出するものであり、回転数検知精度が向上し、誤検知を防止することができる。
【００１３】
請求項4に記載の発明は、請求項１から請求項３のいずれか一項に記載の発明において、前記回転数検出手段により検出した回転数の上限値、下限値を設けて、上限値以上または、下限値以下以外の回転数検出値により一定周期の平均値を求めファンモータの回転数を検出するものであり、ノイズ等により回転数信号が乱れた場合に、回転数の誤検知を防止することができる。
【００１４】
請求項５に記載の発明は、請求項１から請求項４のいずれか一項に記載の発明において、ファンモータを一定時間強制的に指令回転数一定で運転させ、ファンモータの回転数を安定させてから、前記回転数検出手段によりファンモータの回転数を検出するものであり、回転数を安定させてから、前記回転数検出手段によりファンモータの回転数を検出することによりファンモータ運転開始時の回転数ばらつきによる回転数の誤検知を防止することができる。
【００１５】
以下、本発明の実施の形態について、図面を参照しながら説明する。なお、この実施の形態によってこの発明が限定されるものではない。また、従来と同一構成については同一符号を付して詳細な説明を省略する。
【００１６】
（実施の形態１）
図１は、本発明の実施の形態１における、冷蔵庫の制御装置のブロック図であり、図２は動作を示すフローチャートであり、以下図１、図２を参照しながら説明する。
【００１７】
図１において、庫内ファンモータ1は冷蔵庫庫内の冷気循環を行うものであり、機械室ファンモータ２は機械室に設置され圧縮機の空冷を行うものである。庫内ファンモータ駆動手段３は庫内ファンモータ１を駆動するものであり、機械室ファンモータ駆動手段４は機械室ファンモータ２を駆動するものである。庫内ファンモータ回転数検出手段５は庫内ファンモータ１の回転数を検出するものであり、機械室ファンモータ回転数検出手段６は機械室ファンモータ２の回転数を検出するものである。ファンモータ制御手段７は庫内ファンモータ１及び機械室ファンモータ２の動作状態を制御するものである。報知手段８は、ファンモータ制御手段により庫内ファンモータ１及び機械室ファンモータ２の異常が検出された時に、警告表示を表示手段９に表示するものである。
【００１８】
以上のように構成された冷蔵庫の制御装置において、図２を参照しながら動作説明を行う。庫内ファンモータ１と機械室ファンモータ２の回転数検出方法は同様であるので、庫内ファンモータ１で説明をし、機械室ファンモータ２の説明は省略する。
【００１９】
まず、ステップ１００でファンＯＮの時、ステップ１０１に進み庫内ファンモータ回転数検出手段で、庫内ファンモータ回転数を検出する。次にステップ１０２で、ファンモータ制御手段７により設定回転数と検出した現在回転数を比較し、設定回転数と検出した現在回転数の差が、異常判定に用いる比較値（例えば設定回転数の３０％以上でファンモータ回転異常と判定する場合は設定回転数の３０％）より大きい場合ステップ１０３に進み、回転数異常と判定する。ステップ１０２で、設定回転数と検出した現在回転数との差が、異常判定に用いる比較値より小さい場合ステップ１０４に進み、回転数正常と判定する。
【００２０】
以上のように、回転数検出手段で検出されたファンモータ回転数と設定回転数との差によりファンモータの異常判断を行うことにより、ファンモータの回転状態を含めた異常を確実に検知することができる。
【００２１】
また、ステップ１０２で、ファンモータ制御手段７により設定回転数と検出した現在回転数を比較し、設定回転数と検出した現在回転数の差が、異常判定に用いる比較値より大きい場合ステップ１０３に進み、回転数異常と判定する。次に、ステップ２００に進み、報知手段８により表示手段９に警告表示を出力する。
【００２２】
以上のように、回転数検出手段で検出されたファンモータ回転数と設定回転数との差によりファンモータの異常判断を行い、異常が検出された時に、報知手段により警告表示を表示手段９に表示し、知らせることができる。
【００２３】
また、ステップ１０１で庫内ファンモータ回転数検出手段により、庫内ファンモータ回転数を検出し、次にステップ３００で回転数検出値を加算する。次にステップ３０１で回転数検出動作が一定周期以上経過しているか判断し、経過していない場合ステップ１０１で回転数検出を続ける。ステップ３０１で一定周期が経過している場合はステップ３０２に進み、ステップ３００で加算した回転数検出値を周期回数で除算して回転数検出値の平均値を求める。
【００２４】
以上のように、回転数検出手段により検出した一定周期の回転数の平均値によりファンモータの回転数を検出することにより回転数検知精度を上げることができる。
【００２５】
また、ステップ１０１で庫内ファンモータ回転数検出手段により、庫内ファンモータ回転数を検出し、次にステップ４００で回転数検出値が検出上限値と比較し、上限値以上の場合は回転数検出値を加算しない。ステップ４００で回転数検出値が上限値未満の場合は、ステップ４０１で検出下限値と比較し、下限値以下の場合は回転数検出値を加算しない。ステップ４０１で回転数検出値が上限値より小さく、下限値より大きい場合は、ステップ３００で回転数検出値を加算する。ステップ３０１で一定周期が経過している場合はステップ３０２に進み、ステップ３００で加算した回転数検出値を周期回数で除算して回転数検出値の平均値を求める。
【００２６】
以上のように、回転数検出値の上限値、下限値を設けて、上限値以上または、下限値以下以外の回転数検出値により一定周期の平均値を求めファンモータの回転数を検出することにより、ノイズ等により回転数信号が乱れた場合の回転数の誤検知を防止することができる。
【００２７】
また、ステップ１００でファンＯＮの時、ステップ５００に進み一定時間経過したか判断し、一定時間経過していない場合にはステップ５００を繰り返して待つ。ステップ５００で一定時間が経過すると、ステップ１０１に進み、回転数検出を行う。
【００２８】
以上のように、ファンモータを一定時間強制的に指令回転数一定で運転させることにより、回転数を安定させてから、前記回転数検出手段によりファンモータの回転数を検出することによりファンモータ運転開始時の回転数ばらつきによる回転数の誤検知を防止することができる。
【産業上の利用可能性】
【００２９】
以上のように本発明にかかる冷蔵庫の制御装置は、ファンモータ回転数と設定回転数との差によりファンモータの異常判断を行うことができるのでファンモータを使用する機器全般に適用できる。
【図面の簡単な説明】
【００３０】
【図１】本発明による実施の形態１における冷蔵庫の制御装置のブロック図
【図２】本発明による実施の形態１における冷蔵庫の制御装置のフローチャート
【図３】従来の冷蔵庫の異常検出装置の電気回路図
【符号の説明】
【００３１】
１    庫内ファンモータ
２    機械室ファンモータ
４    庫内ファンモータ回転数検出手段
５    機械室ファンモータ回転数検出手段
７    ファンモータ制御手段
８    報知手段
９    表示手段
【図１】
2005090912.tif 000003
【図２】
2005090912.tif 000004
【図３】
2005090912.tif 000005